(57)【要約】【課題】  衣服などの吊下げ高さを容易に調整することができると共に、衣服などの吊下げ以外の用途にも適用できる保持装置を提供する。【解決手段】  ポール３と、ポール３にスライド自在に装着される複数のボール４ａと、を有する支持本体２と、支持本体２に任意の位置で脱着可能に取り付けられるホルダ５と、を備える。前記ホルダ５は、隣接するボール４ａ同士の間に差し込まれる上下一対の水平部材５ａ，５ｂと、各水平部材５ａ，５ｂに設けられる溝部１１ａ，１１ｂとを有し、この溝部１１ａ，１１ｂに前記ポール３が差し込まれる。【選択図】  図２
2020202891.tif 000002
【特許請求の範囲】
【請求項１】
ポールと、ポールにスライド自在に装着される複数の駒と、を有する支持本体と、
支持本体に任意の位置で脱着可能に取り付けられるホルダと、を備え、
前記ホルダは、隣接する駒同士の間に差し込まれる水平部材と、水平部材に設けられる溝部とを有し、この溝部に前記ポールが差し込まれる保持装置。
【請求項２】
前記支持本体は、上下方向に延びる前記ポールと、このポールに連続して配置される複数の駒を有する請求項1に記載の保持装置。
【請求項３】
前記ポールは、その上端及び下端の少なくとも一方が固定されている請求項１又は２に記載の保持装置。
【請求項４】
前記駒は、前記ポールが貫通する貫通孔を有するボールである請求項１又は２に記載の保持装置。
【請求項５】
前記駒は、前記ポールが貫通する貫通孔を有する扁平状のリングである請求項１又は２に記載の保持装置。
【請求項６】
前記ホルダは、上下一対の水平部材と、各水平部材に設けられる前記溝部と、上下一対の水平部材をつなぐ連結部材と、を有する請求項１に記載の保持装置。
【請求項７】
前記連結部材は、溝部と平行な垂直面を有し、この垂直面にフックが設けられる請求項６に記載の保持装置。
【請求項８】
前記ホルダの上下一対の水平部材の間隔は、前記各駒の高さ寸法の整数倍である請求項６に記載の保持装置。
【請求項９】
前記溝部は、水平部材の一端に入口を有する直線状の切れ込みからなり、切れ込みの内側壁に凹部が設けられる請求項１，６，７のいずれか１つに記載の保持装置。
【請求項１０】
前記ホルダは、一の水平部材と、水平部材に設けられる溝部と、溝部の入口が設けられる水平部材の一端に設けられる係合爪と、を有する請求項１に記載の保持装置。
【請求項１１】
前記係合爪は、前記溝部の入口が設けられる水平部材の一端から下方に向けて鋭角に曲がるように形成される請求項１０に記載の保持装置。
【請求項１２】
前記溝部の入口が設けられる水平部材の一端と対向する他端には水平部材と直交する垂直部材が設けられる請求項１０に記載の保持装置。
【発明の詳細な説明】
【技術分野】
【０００１】
本発明は、部屋の壁面や天井などに固定して使用され、衣服などの吊下げ高さを自由に調整することができる保持装置に関する。
【背景技術】
【０００２】
従来の衣服吊持具として、例えば特許文献１に記載のものが知られている。この衣服吊持具は、部屋の壁面などに固定される縦長レールと、縦長レールの前面から突出する吊持ちアームと、を備え、吊持ちアームが縦長レールに沿って上下に移動が可能となっている。吊持ちアームには、衣服ハンガのフックを掛ける部が複数設けられており、服を重ね合わせの状態で吊持することができる。また、吊持ちアームは、挿入孔が穿設された基板を有し、挿入孔を貫通させた締結ネジを予め縦長レールのナットスライド部に挿入させたナットに螺合させることで、縦長レールに固定される。また、吊持ちアームは、締結ネジを弛めることにより、縦長レールに沿って上下に移動が可能となる。
【先行技術文献】
【特許文献】
【０００３】
【特許文献１】実開平５−４１４７９号全文明細書
【発明の概要】
【発明が解決しようとする課題】
【０００４】
しかしながら、上記従来の衣服吊持具にあっては、吊持ちアームの高さを調整する際には、締結ネジを弛めてから吊持ちアームを縦長レールの沿ってスライドさせ、所望の高さ位置で再び締結ネジをナットに螺合して吊持ちアームを固定する、といった一連の操作が必要となっていた。また、衣服吊持具を利用しない時でも、常に吊持ちアームが縦長アームの前面から大きく突出した状態にあるため、部屋内を歩く際の邪魔になる他、部屋の見栄えを損なうものとなっていた。
【０００５】
そこで本発明は、衣服などの吊下げ高さを容易に調整することができると共に、利用しない時には前方への大きな突出を避けるようにした保持装置を提供するものである。また、本発明は、衣服などの吊下げ以外の用途にも適用できる保持装置を提供するものである。
【課題を解決するための手段】
【０００６】
本発明に係る保持装置は、ポールと、ポールにスライド自在に装着される複数の駒と、を有する支持本体と、支持本体に任意の位置で脱着可能に取り付けられるホルダと、を備える。前記ホルダは、隣接する駒同士の間に差し込まれる水平部材と、水平部材に設けられる溝部とを有し、この溝部に前記ポールが差し込まれる。
【発明の効果】
【０００７】
本発明に係る保持装置によれば、ホルダを支持本体の任意の位置に脱着可能に取り付けられるので、衣服などの吊下げ高さを容易に調整することができる。また、ホルダは、隣接する駒同士の間に差し込まれる水平部材と、水平部材に設けられて支持本体のポールに差し込まれる溝部と、を有しているので、支持本体への脱着が容易であり、利用しない時には支持本体から容易に取り外すことができる。また、ホルダの形態を変えることで衣服などの吊下げ以外の用途にも適用できる。
【図面の簡単な説明】
【０００８】
【図１】本発明に係る保持装置を吊り下げ装置として使用する場合の斜視図である。
【図２】本発明に係る保持装置の第１実施形態を示す斜視図である。
【図３】（ａ）はホルダの上下一対の水平部材の間隔とボールの高さ寸法との関係を示す説明図、（ｂ）は前記水平部材の間隔がボールの高さ寸法の整数倍である場合の説明図、（ｃ）は前記水平部材の間隔がボールの高さ寸法の整数倍でない場合の説明図である。
【図４】（ａ）はホルダの水平部材が支持本体のボール及びポールに差し込まれる状態を示す説明図、（ｂ）はスリットに設けられた凹部にポールが嵌まり込む状態を示す説図である。
【図５】駒の他の実施形態としてリングを用いた場合の保持装置を示す斜視図である。
【図６】本発明に係る保持装置の第２実施形態を示す斜視図である。
【図７】ホルダの水平回転を防ぐための一手段を示す概略平面図である。
【図８】ホルダの水平回転を防ぐための他の手段を示す概略平面図である。
【図９】本発明に係る保持装置の第３実施形態を示す斜視図である。
【図１０】第３実施形態に係るホルダの作用を示す説明図である。
【０００９】
以下、本発明に係る保持装置の実施形態を図面に基づいて詳細に説明する。なお、図面は、本発明の保持装置を模式的に表したものである。これらの実物の寸法および寸法比は、図面上の寸法および寸法比と必ずしも一致していない。また、重複説明は適宜省略させることがあり、同一部材には同一符号を付与することがある。さらに、本発明の技術的範囲は以下で説明する各実施の形態には限定されず、特許請求の範囲に記載された発明とその均等物に及ぶ点に留意されたい。
【００１０】
図１乃至図４には本発明に係る保持装置の一実施形態が示されている。この保持装置１は、上下に延びるポール３と、ポール３にスライド自在に装着される複数の駒４と、を有する支持本体２と、この支持本体２に任意の位置で脱着可能に取り付けられるホルダ５と、を備えている。ポール３は、剛性を備えた細長い丸棒からなり、上端及び下端が側壁面６から突出する上下一対の支持板１４ａ，１４ｂに固定されている。ポール３の材質は問わない。なお、ポール３の端部を天井や床などに固定してもよい。
【００１１】
前記駒４は、前記ポール３が貫通する貫通孔４ｂを有するボール４ａからなる。貫通孔４ｂは、ボール４ａの中心を上下に貫通している。ボール４ａの材質は特に限定されないが、ある程度の重量を有することが望ましく、木質材料、プラスチック材料、金属材料材などの硬質材料で作製可能である。各ボール４ａの大きさは特に限定されるものではないが、人間のこぶし大程度のものが使い勝手がよい。ボール４ａは真円に近いものだけでなく、楕円状のものであってもよい。複数のボール４ａは、各ボール４ａをポール３で貫くようにして、ポール３に数珠つなぎのように上下に連続して配置される。各ボール４ａは一つ一つが独立しており、ポール３に沿って個別にスライドが可能である。ポール３に配置されるボール４ａの数は、特に限定されるものではないが、各ボール４ａがポール３に沿ってスライドできるように、ポール３の上部に少し余裕を持たせてある。なお、前記ポール３の下部にはボール４ａの抜止め用のストッパ７が嵌め込まれている。このストッパ７は高さ位置を調整することが可能である。ボール４ａの抜止め用として、この実施形態のように、ポール３の上下端を固定する支持板１４ａ，１４ｂを利用することも可能である。
【００１２】
前記ボール４ａ以外の駒４の例として、図５に示されるような扁平状のリング４ｃを利用することもできる。リング４ｃは、前記ポール３が貫通する貫通孔４ｄを有している。同一形状の複数のリングを数珠つなぎのように連続して配置し、その中にポール３を貫通させている。各リングは一つ一つが独立しており、各リング４ｃをポール３に沿って上下にスライドさせることができる。
【００１３】
前記ホルダ５は、図２に示されるように、上下一対の水平部材５ａ，５ｂと、上下の水平部材５ａ，５ｂをつなぐ連結部材５ｃとでコの字状に形成されている。各水平部材５ａ，５ｂは、矩形状の金属板又はプラスチック板からなり、矩形状の各水平部材５ａ，５ｂの一辺が前記連結部材５ｃによってつながっている。上下一対の水平部材５ａ，５ｂの間隔は、前記各ボール４ａの高さ寸法ｈの整数倍であることが望ましい。図３（ａ）に示された例では、上下一対の水平部材５ａ，５ｂの間隔は、ボール４個分の高さ寸法４ｈに対応しているが、特にこれに限定されるものではない。
【００１４】
連結部材５ｃは、前記水平部材５ａ，５ｂと同様、矩形状の金属板又はプラスチック板からなり、水平部材５ａ，５ｂと一体成形されている。また、連結部材５ｃは垂直面５ｄを有しており、この垂直面５ｄにフック８が設けられている。このフック８は、図１に示されるように、衣服９用のハンガー１０やバックのバンドなどを引掛けることができるように、先端が略Ｊ字状に形成されている。なお、フック８の形状は略Ｊ字状に限定されるものではない。
【００１５】
図２及び図４（ａ）に示されるように、上記一対の水平部材５ａ，５ｂには、前記ポール３が差し込まれる溝部１１ａ，１１ｂがそれぞれ設けられる。各溝部１１ａ，１１ｂは、各水平部材５ａ，５ｂの一端に入口１１ａ’，１１ｂ’を有する直線状の切れ込みからなり、前記連結部材５ｃの垂直面５ｄと平行に長く延びている。各溝部１１ａ，１１ｂは、水平部材５ａ，５ｂの横幅方向のほぼ中央位置に設けられる。また、各溝部１１ａ，１１ｂの長さ寸法ｄは、この実施形態では水平部材５ａ，５ｂの縦幅方向の半分よりやや長くなっているが、特に限定されるものではない。また、各溝部１１ａ，１１ｂの幅寸法ｗは、前記ポール３の差し込みを可能とするため、ポール３の直径よりやや大きな溝幅となっている。なお、一対の水平部材５ａ，５ｂに設けられる各溝部１１ａ，１１ｂは、平面視で同じ位置に設けられ、また同じ形状に形成されている。
【００１６】
この実施形態において、上側の水平部材５ａに設けられる溝部１１ａの後端部には、凹部１３が設けられている。この凹部１３は、溝部１１ａを形成する左右一対の内側壁１２ａ，１２ｂの少なくとも一方の内側壁１２ａに設けられる。凹部１３は、内側壁１２ａの後端部の一部を半円状に切り欠いたような形状をしており、溝部１１ａの長手方向とは直交する方向に凹設されている。この凹部１３の大きさは、溝部１１ａに差し込まれたポール３が嵌まり込むことができるように、ポール３の直径よりやや大きなものである。また、この凹部１３が設けられる溝部１１ａの一方の内側壁１２ａは、連結部材５ｃから遠い方にある内側壁である。図４（ｂ）に示されるように、フック８に荷重が掛かって水平部材５ａがフック８側に少し傾いた時に、ポール３が溝部１１ａに設けられた凹部１３に嵌まり込むことで、ホルダ５がポール３から抜け出てしまうのを確実に防ぐことができる。
【００１７】
次に、上記構成からなる保持装置１の使用方法について説明する。保持装置１は、部屋の隅や壁際などに設置されるのが望ましい。支持本体２は、ポール３と、ポール３に装着された複数のボール４ａと、によって構成されているので、それ自体がスマートであり、目障りになるものではないが、部屋の空間を大きく確保するために上記の設置場所が望ましい。ポール３に対するホルダ５の取付け高さは、利用者が任意に選択できる。利用者は、図２及び図３（ａ）に示されるように、ホルダ５の上下の水平部材５ａ，５ｂを任意の高さ位置で隣接するボール４ａ同士の間に水平方向に差し込む。図３（ｂ）に示されるように、ボール４ａ同士の間に差し込まれた水平部材５ａ，５ｂの板厚に応じてボール４ａが上方に少しスライドすることで、水平部材５ａ，５ｂがボール４ａ同士の間に差し込まれる。さらに、各水平部材５ａ，５ｂに設けられている溝部１１ａ，１１ｂにポール３を差し込むことで、ホルダ５が支持本体２に脱着可能に取り付けられる。
【００１８】
図３（ａ）に示されるように、上下一対の水平部材５ａ，５ｂの間隔が各ボール４ａの高さ寸法ｈの整数倍である場合には、図３（ｂ）に示されるように、上下の水平部材５ａ，５ｂの間に４個のボール４ａを嵌め入れることになるので、各水平部材５ａ，５ｂが上下のボール４ａによってそれぞれ挟み込まれることになる。そのため、ホルダ５が支持本体２から容易に抜け落ちることがない。一方、図３（ｃ）に示されるように、上下一対の水平部材５ａ，５ｂの間隔が各ボール４ａの高さ寸法ｈの整数倍ではない場合には、上下の水平部材５ａ，５ｂの間に隙間が生じることになるが、上側の水平部材５ａは上部のボール４ａによって、下側の水平部材５ｂは上下のボール４ａによってそれぞれ支持されているので、支持本体２から容易に抜け落ちることがない。なお、ホルダ５の高さ位置を変更する場合には、ホルダ５を水平方向に引き抜いて支持本体２から取り外し、任意の高さ位置で上記と同様の手段で支持本体２に取り付けることができる。
【００１９】
利用者は、脱いだ上着やコートなどの衣服９をハンガー１０ーに掛け、ホルダ５に設けられたフック８にハンガー１０を吊るすだけでよい。前記ポール３の下部にはボール４ａの抜止め用のストッパ７が嵌め込まれているので、ボール４ａにハンガー１０に掛けた衣服９の荷重が掛かってもボール４ａがずり下がることがない。また、上下一対の水平部材５ａ，５ｂに設けられた溝部１１ａ，１１ｂにポール３が差し込まれているので、ハンガー１０に掛けた衣服９の荷重がホルダ５に掛かってもホルダ５自体が傾いたり、抜け落ちたりすることがない。さらに、図４（ｂ）に示されるように、荷重が掛かるフック８側にホルダ５が多少傾いたとしても、ポールが水平部材５ａに設けられた溝部１１ａの凹部１３に嵌まり込むので、ホルダ５が支持本体２から抜け落ちることがない。なお、図１に示されるように、ホルダ５を支持本体２の回りに水平回転させることで、ハンガー１０の向きを任意に変えることができる。
【００２０】
図６には本発明に係る保持装置の第２実施形態が示されている。この実施形態に係る保持装置１’は、ホルダ１５を小テーブルとして利用するものである。ホルダ１５は、小テーブルのテーブル面となる水平部材１６と、水平部材１６を下から支える傾斜部材１７と、を備えている。水平部材１６は、矩形状の平板からなり、その上にコーヒーカップ２１や本２２などを置くことができる程度の大きさが好ましい。傾斜部材１７は、水平部材１６より薄い板厚の矩形状の平板からなり、前記水平部材１６の先端部１６ａに連結される先端部１７ａと、支持本体２に取付けられる後端部１７ｂとで水平部材１６を支持している。傾斜部材１７の後端部１７ｂは水平面を形成している。なお、ポール３と、ポール３にスライド自在に装着される複数のボール４ａと、を有する支持本体２は、前記実施形態１と同様の構成からなるので、詳細な説明は省略する。
【００２１】
水平部材１６の後端部１６ｂ及び傾斜部材１７の後端部１７ｂには、前記第１実施形態と同様の溝部１８ａ，１８ｂがそれぞれ設けられている。これらの溝部１８ａ，１８ｂは、溝部１８ａの後端部には、第１実施形態と同様の凹部１９が設けられている。この凹部１９は、溝部１８ａを形成する一対の内側壁２０ａ，２０ｂのうちの一方の内側壁２０ａに設けられる。凹部１９は、内側壁２０ａの後端部の一部を半円状に切り欠いたような形状をしており、溝部１８ａの長手方向とは直交する方向に凹設されている。この凹部１９の大きさは、溝部１８ａに差し込まれたポール３が嵌まり込むことができるように、ポール３の直径よりやや大きなものである。水平部材１６の上に物を置いて荷重が掛かったときに、ポール３が溝部１８ａの凹部１９に嵌まり込むことで、水平部材１６の水平を保つと共にホルダ１５が支持本体２から抜け落ちてしまうのを防いでいる。
【００２２】
この実施形態においては、ホルダ１５を小テーブルとして利用する場合には、水平部材１６及び傾斜部材１７の各後端部１６ｂ，１７ｂをポール３に装着されたボール４ａ同士の間に差し込むと同時に、水平部材１６の溝部１８ａ及び傾斜部材１７の溝部１８ｂにポール３を差し込むことによって、水平部材１６が水平に保たれた状態で支持本体２に取り付けられる。なお、傾斜部材１７は、水平部材１６との間の傾斜角度を大きく保つことで、水平部材１６をより安定して支持することができる。
【００２３】
なお、ホルダ１５を小テーブルとして利用する際の小テーブルの水平回転を防ぐ手段としては、図７及び図８に示されるように、二本の支持本体２にホルダ１５を取り付けることが有効である。図７に示された形態では、ホルダ１５に設けられる一つの溝部１８ｃに二本の支持本体２の各ポール３が差し込まれる。二本のポール３は、一方のポールを中心としたホルダ１５の回転運動を互いに拘束するため、小テーブルの回転を防ぐことができる。なお、溝部１８ｃには二本のポール３が差し込まれる位置に対応して２個の凹部１９が設けられている。また、図８に示された形態では、ホルダ１５に形状の異なる二つの溝部１８ｄ，１８ｅが設けられ、各溝部１８ｄ，１８ｅに二本の支持本体２の各ポール３が差し込まれる。この形態では、一方の溝部１８ｄがＬ形に形成され、このＬ形の溝部１８ｄに沿ってホルダ１５を矢印１→２の順にスライドさせることで、二本のポール３が各溝部１８ｄ，１８ｅ差し込まれる。なお、各溝部１８ｄ，１８ｅの後端部にはそれぞれ凹部が設けられている。この形態は、ホルダが幅広の場合に安定感が増すので有効である。
【００２４】
図９及び図１０には本発明に係る保持装置の第３実施形態が示されている。この実施形態に係る保持装置１’’は、ホルダ２５の構成が前述の実施形態とは異なる一方、支持本体２は、前記実施形態１と同様の構成からなる。ホルダ２５は、一枚の水平部材２６と、この水平部材２６に設けられる溝部２７と、溝部２７の入口２７ａが設けられる水平部材２６の一端に設けられる係合爪２８と、を有している。この係合爪２８は、例えば前記水平部材２６の一端から下方に向けて鋭角に曲がるように形成されている。この実施形態における係合爪２８は、水平部材２６の一端において、その全幅に亘って設けられているが、少なくとも溝部２７の両側部分に設けられていればよい。また、前記水平部材２６の一端から下方向に向けて鋭角に曲がる係合爪２８と水平部材２６との角度は特に限定されない。さらに、この実施形態におけるホルダ２５は、前記溝部２７の入口２７ａが設けられる水平部材２６の一端と対向する他端側に水平部材２６と直交する垂直部材２９を有する。この垂直部材２９は、前記第１実施形態における連結部材５ｃとほぼ同じ大きさの矩形状の平板からなる。垂直部材２９の外表面には第１実施形態と同様のフック８が設けられている。
【００２５】
次に、上記構成からなるホルダ２５の支持本体２への取付け及び取り外しを図１０に基づいて説明する。図１０（ａ）に示したように、先ずはホルダ２５の水平部材２６を支持本体２の所望の高さ位置でボール４ａの間に差し込む。その際、水平部材２６をボール４ａと一緒に少し持ち上げて水平部材２６とその下側のボール４ａとの間に空隙３０を設け、その空隙３０に水平部材２６の係合爪２８が差し入れると同時に溝部２７にポール３が差し込まれる。
【００２６】
図１０（ｂ）に示したように、係合爪２８が差し込まれると、水平部材２６より上側のボール４ａが下降して水平部材２６を上下のボール４ａで挟み込む。さらに、水平部材２６を差し込み方向とは逆方向に引いて係合爪２８を下側のボール４ａに係合させる。これによって、支持本体２に対してホルダ２５がロックされた状態となり、水平部材２６の水平状態が保持されることになる。したがって、この状態でフック８に衣服などを吊り下げ、その重さでホルダ２５に荷重が掛かった場合には、図１０（ｂ）に示したように、係合爪２８が下側のボール４ａに係合することで、水平部材２６がポール３から抜け落ちるのが防止される。また、衣服などの重みによってホルダ２５が傾いたとしても、図１０（ｃ）に示したように、垂直部材２９の下端がボール４ａに突き当たることでホルダ２５が傾いたままの姿勢で保持されるため、水平部材２６の抜け落ちが防止される。
【００２７】
一方、支持本体２からホルダ２５を取り外す場合には、図１０（ｄ）に示したように、ホルダ２５の水平部材２６で上側のボール４ａを少し持ち上げ、水平部材２６とその下側のボール４ａとの間に空隙３０を設けて、ホルダ２５引き抜くだけで簡単に取り外しことができる。空隙３０はホルダ２５を引き抜く際に係合爪２８が引っ掛からない程度の隙間で足りる。
【００２８】
本発明に係る保持装置は、上述した実施形態１，２に限定されるものではなく、ホルダの形態を変えることで、様々なバリエーションに対応することができる。
【符号の説明】
【００２９】
１，１’，１’’  保持装置
２  支持本体
３  ポール
４  駒
４ａ  ボール
４ｂ  ボールの貫通孔
４ｃ  リング
４ｄ  リングの貫通孔
５，１５，２５  ホルダ
５ａ，５ｂ  水平部材
５ｃ  連結部材
５ｄ  垂直面
６  側壁面
７  ストッパ
８  フック
９  衣服
１０  ハンガー
１１ａ，１１ｂ，１８ａ，１８ｂ，１８ｃ，１８ｄ，１８ｅ  溝部
１１ａ’，１１ｂ’  溝部の入口
１２ａ，１２ｂ，２０ａ，２０ｂ  内側壁
１３，１９  凹部
１４ａ，１４ｂ  支持板
１６  水平部材
１６ａ  水平部材の先端部
１６ｂ  水平部材の後端部
１７  傾斜部材
１７ａ  傾斜部材の先端部
１７ｂ  傾斜部材の後端部
２１  コーヒーカップ
２２  本
２６  水平部材
２７  溝部
２７ａ  溝部の入口
２８  係合爪
２９  垂直部材
３０  空隙
【図１】
2020202891.tif 000003
【図２】
2020202891.tif 000004
【図３】
2020202891.tif 000005
【図４】
2020202891.tif 000006
【図５】
2020202891.tif 000007
【図６】
2020202891.tif 000008
【図７】
2020202891.tif 000009
【図８】
2020202891.tif 000010
【図９】
2020202891.tif 000011
【図１０】
2020202891.tif 000012